(57)【要約】【課題】磁界レンズを備える装置、特に電子顕微鏡等の荷電粒子線装置において、磁界レンズの消磁に要する時間を短縮する。【解決手段】磁界レンズに単一振幅の交流電流を所定サイクル印加することにより、同一電流波形に対し同一ヒステリシス軌道を辿る安定閉ループを生成する。その安定閉ループを与える電流を流し、安定閉ループの分岐点を辿ることでヒストリ効果を消失させることができるため、消磁と同等な効果を得ることが可能となる。【選択図】  図９
2013065484.tif 000002
【特許請求の範囲】
【請求項１】
荷電粒子線源から放出される荷電粒子線を磁界レンズを用いて所定の試料上に導く荷電粒子光学系の調整方法において、
前記荷電粒子線の非照射状態において、前記磁界レンズに単一振幅の交流励磁電流を印加することにより、前記磁界レンズのヒステリシス曲線におけるメジャーループ内に安定化されたヒステリシスループを形成することを特徴とする荷電粒子光学系の調整方法。
【請求項２】
試料を載置する試料台と、
荷電粒子線源から放出される荷電粒子線を磁界レンズを用いて前記試料上に導く荷電粒子光学鏡筒と、
当該荷電粒子光学鏡筒を制御する制御手段と、
当該制御手段に対して制御コマンドを発行する制御コンピュータとを備え、
当該制御コンピュータは、
前記荷電粒子線の非照射状態において、前記磁界レンズに単一振幅の交流励磁電流を印加することにより、前記磁界レンズのヒステリシス曲線におけるメジャーループ内に安定化されたヒステリシスループを形成することを特徴とする荷電粒子線装置。
【請求項３】
請求項２に記載の荷電粒子線装置において、
前記制御コンピュータは、
前記荷電粒子線の前記試料への照射時には、前記安定ループ上で磁化がゼロとなる点を起点とする磁化曲線上で前記磁界レンズから発生する磁界の強さを制御することを特徴とする荷電粒子線装置。
【請求項４】
請求項３に記載の荷電粒子線装置において、
前記制御コンピュータは、
前記磁界の強さの制御時には、前記安定ループの分岐点まで磁界レンズの励磁電流値を変化させ、その後前記磁化ゼロの点まで励磁電流値を変化させた後に、前記磁化曲線を辿ることを特徴とする荷電粒子線装置。
【請求項５】
請求項２に記載の荷電粒子線装置において、
前記制御コンピュータは、
前記交流励磁電流として、正または負のＤＣオフセットが重畳した単一振幅の交流電流を前記磁界レンズに印加することを特徴とする荷電粒子線装置。
【請求項６】
試料を載置する試料台と、
一次電子線を磁界レンズを用いて前記試料上に集束させ、当該集束された一次電子線を偏向器を用いて前記試料上で走査させる電子光学鏡筒と、
前記走査により得られる二次電子あるいは反射電子を検出する検出器と、
前記試料台を移動する試料ステージと、
当該電子光学鏡筒および試料ステージを制御する制御手段と、
当該制御手段に対して制御コマンドを発行する制御コンピュータとを備え、
当該制御コンピュータは、
前記電子線の非照射状態において、前記磁界レンズに単一振幅の交流励磁電流を印加することにより、前記磁界レンズのヒステリシス曲線におけるメジャーループ内に安定化されたヒステリシスループを形成することを特徴とする走査電子顕微鏡。
【請求項７】
請求項６に記載の走査電子顕微鏡において、
前記制御コンピュータは、
前記試料上の第１の画像取得位置での画像取得後、第２の画像取得位置が前記電子光学鏡筒の前記一次電子線の照射位置に位置するよう前記試料ステージを移動させ、
当該試料ステージの移動中に前記ヒステリシス安定化ステップを実行させることを特徴とする走査電子顕微鏡。
【請求項８】
請求項７に記載の走査電子顕微鏡において、
前記電子光学鏡筒が前記一次電子線のブランキング手段を備え、
前記試料ステージの移動中には前記一次電子線をブランキングすることを特徴とする走査電子顕微鏡。
【請求項９】
請求項７に記載の走査電子顕微鏡において、
前記電子光学鏡筒が前記一次電子線の遮蔽手段を備え、
前記安定化ステップの実行時には前記一次電子線を遮蔽することを特徴とする走査電子顕微鏡。
【請求項１０】
請求項６に記載の荷電粒子線装置において、
前記制御コンピュータは、
前記一次電子線の前記集束状態の調整時には、前記安定ループ上で磁化がゼロとなる点を起点とする磁化曲線上で前記磁界レンズから発生する磁界の強さを制御することを特徴とする走査電子顕微鏡。
【発明の詳細な説明】
【技術分野】
【０００１】
本発明は、磁界レンズを用いた荷電粒子装置及び電子顕微鏡における磁界レンズの磁場制御法に関するものである。
【背景技術】
【０００２】
荷電粒子装置及び電子顕微鏡においては、例えば対物レンズやコンデンサレンズとして、磁界レンズないし電磁界重畳型レンズが広く用いられている。磁界レンズは磁性体により生成される磁界を用いて荷電粒子線の軌道あるいは集束状態を制御する部品である。磁界レンズの磁界発生源としては、永久磁石を使用した特殊な磁界レンズを除けば電磁石が使用されており、通常は電流により磁界が励起される（これを励磁という）。従って、磁界レンズの磁界強度はレンズに供給する電流によって制御される。一方、電磁石を使用するため、磁界レンズは磁性体特有の性質であるヒステリシスを持つ。ヒステリシスにより磁界レンズの磁界強度は励磁電流に対して１対１には定まらないため、磁界レンズの磁界強度を調節する際には消磁過程が必要になる。
【０００３】
以下、図１〜図３を用いて従来の消磁方法について簡単に説明する。図１には、簡単な円筒型の磁界レンズの断面図を示す。ヨーク１０１の内部にはコイル１０２が配置されており、ヨーク１０１の先端にはポールピース１０３が形成されている。このコイル１０２に電流源１０４により電流を印加すると、ポールピース１０３の間に形成されたポールギャップ１０５に磁界が発生し、これにより、ギャップ部を通過する荷電粒子線の軌道あるいは集束状態を制御する。
【０００４】
コイル１０２が発生できる磁界強度、言い換えればコイル１０２に印加できる電流には物理的な上限があり、最大磁界がＭmax、最大電流がＩmaxであるものとする。今、消磁状態から、図１の磁界レンズに図２（Ａ）に示す時間波形の電流を印加すると、時間ｔ1では、Ｍ−Ｈ曲線上の初磁化曲線２０１に沿って、電磁石の磁化すなわち磁界レンズに発生する磁界が増大し、電流値Ｉが最大値Ｉmaxに達するとともに（磁化が）最大値Ｍmaxに達する。その後、時間ｔ2，ｔ3の波形に示されるように励磁電流を減少させると、図２（Ｂ）の点線で示されるヒステリシスループを矢印の向きに辿り、電流値がＩが最小値−Ｉmax（負の最大値）に達するとともに最小値−Ｍmaxに達する。このような、磁界レンズの正の飽和状態から負の飽和までのヒステリシス軌道で囲まれるループをメジャーループと称し、メジャーループによって囲まれるＭ−Ｈの空間をヒステリシス空間と呼ぶ。
【０００５】
さて、磁界レンズの動作点が図２（Ｂ）のＡ点であるとすると、初磁化曲線上でＡ点に相当する磁界強度（Ｍ）を得るための電流値はＨ1である。一方、磁界レンズのコイルに印加する電流をメジャーループ上の例えばＢ点で折り返したとすると、ヒステリシスの影響によりレンズ磁界は磁化曲線２０２に沿って増大する。この磁化曲線２０２上で磁界強度Ｍを得るための電流値はＨ2であり、初磁化曲線上での電流値Ｈ1とは一致しない。つまり、ヒステリシスの影響が存在すると、磁界レンズの発生磁界がコイルへの印加電流に対して一位に定まらないことになり、従って磁界レンズの発生磁界を電流によって制御できないことになる。よって従来、磁界レンズの発生磁界を調整する際には、一度レンズを消磁し、ヒステリシスの影響を除去した後、初磁化曲線上でレンズを動作させることが常識であった。
【０００６】
図３（Ａ）には磁界レンズを消磁する際にコイルに印加される電流波形を、図３（Ｂ）には消磁用電流波形によって磁界レンズが辿るヒステリシスループを図示する。図３（Ａ），図３（Ｂ）に示される消磁手法はいわゆる交流消磁であって、振幅を徐々に小さくしながらコイルに交流電流を印加することによって磁界レンズに残留する磁化をゼロにする方式である。消磁後は、再びコイルに電流を印加し、図２（Ｂ）の初磁化曲線上で磁界レンズを動作させる。同一の磁化曲線であれば、レンズ磁界と励磁電流の関係が一位に定まることになるため、磁界レンズが電流で制御できることになる。
【０００７】
従来、荷電粒子線装置や電子顕微鏡で実施されている消磁手法はすべて交流消磁方式によるもので、例えば、特許文献１には、消磁の際に磁界レンズに印加する交流電流にレンズの残留磁化分のバイアス（オフセット電圧）を重畳する発明が、特許文献２には、シーケンサ制御を用いて電子顕微鏡に搭載された磁界レンズの消磁を一括して行う発明が開示されている。
【先行技術文献】
【特許文献】
【０００８】
【特許文献１】特開２００３−１８７７３２号公報
【特許文献２】特開２００８−０６６００７号公報
【発明の概要】
【発明が解決しようとする課題】
【０００９】
従来の消磁法は、振幅を徐々に小さくしながら磁界レンズに交流電流を印加するため、消磁に時間を要するという問題がある。また、メジャーループ内の小ループ（マイナーループと称する）を何回も辿ってＭ−Ｈ曲線の原点に戻るため、コイルに印加される総電流が多くなり、従って発熱量が多いという問題もある。
【００１０】
そこで本発明は、従来の消磁法に代わる高速な磁化制御法および当該磁化制御方法を適用した荷電粒子線装置を提供することにある。
【課題を解決するための手段】
【００１１】
本発明は、ヒステリシスの性質を利用して、磁界レンズに安定な閉マイナーループ（以下、安定化ループと称する）を形成し、当該マイナーループ上で磁界レンズを動作させることにより、従来の課題を解決する。
【発明の効果】
【００１２】
消磁に要する時間が大幅に短縮される。もしくは磁界レンズを使用する上での消磁ステップを省略できる。従って、荷電粒子線装置の光学系調整に要する時間が大幅に短縮され、装置の使用効率が非常に向上する。また、消磁に要する電流量が低減されるため、磁界レンズの消費電力、ひいては荷電粒子線装置の電力消費量が低減される。
【図面の簡単な説明】
【００１３】
【図１】典型的な磁界レンズの構造。
【図２（Ａ）】Ｍ−Ｈ曲線上でメジャーループを描くための電流波形。
【図２（Ｂ）】ヒステリシスの特性を説明するための図。
【図３（Ａ）】交流消磁の際に磁界レンズに印加される電流波形。
【図３（Ｂ）】交流消磁の際に形成されるヒステリシスループ。
【図４（Ａ）】安定化ループを形成するための電流波形の一例。
【図４（Ｂ）】安定化ループの一例。
【図５（Ａ）】安定化ループの収束を示す実験データ１。
【図５（Ｂ）】安定化ループの収束を示す実験データ２。
【図６】形成後の安定化ループの一例。
【図７】本実施例の荷電粒子線装置の全体構成図。
【図８】図７の荷電粒子線装置の動作を示すフローチャート。
【図９】安定化ループと磁界レンズの動作点の関係を説明する図。
【図１０】安定化ループ上で磁界レンズを動作させるための励磁電流波形の例。
【図１１】安定化ループ上で磁界レンズを動作させるための励磁電流波形の例。
【図１２】安定化ループを形成するための励磁電流波形の一例。
【図１３（Ａ）】実施例２の安定化ループ上を形成するための励磁電流波形の一例。
【図１３（Ｂ）】実施例２の安定化ループの一例。
【図１４】図１３（Ｂ）の安定化ループと磁界レンズの動作点の関係を説明する図。
【図１５（Ａ）】実施例３の安定化ループ上で磁界レンズを動作させるための励磁電流波形の一例。
【図１５（Ｂ）】実施例３の安定化ループと磁界レンズの動作点の関係を説明する図。
【発明を実施するための形態】
【００１４】
（実施例１）
初めに、図４を用いて、各実施例に共通する基本原理について説明する。
【００１５】
本発明の発明者らは、図４（Ａ）に示すような波形の電流を磁界レンズのコイルに繰り返し与えると、ヒステリシス空間内のマイナーループに一種のメモリー効果が発現することを見出した。図４（Ａ）に示される電流波形は、電流振幅がＩで正負の極性が交互に反転するパルス電流波形である。縦軸上のＩmax、−Ｉmaxは、コイルに印加できる電流値の物理的な上限であり、メジャーループ４０１を形成する際に印加される最大電流値を示す。
【００１６】
さて、消磁された状態で磁界レンズのコイルに図４（Ａ）に示される単一振幅の電流（電流値は例えばＩ0とする）を印加すると、初磁化曲線４０２を通って磁化の上限値Ｍ0に達した後、マイナーループ４０３を通っては下限値−Ｍ′0に達する。−Ｍ′0と表記しているのは１回目のループでは−Ｍ′0とＭ0の絶対値は一致しないためである。さらに電流を増大させると、マイナーループ４０３とほぼ同じ経路を辿って上限値に至るが、今度はＭ0よりも少し小さな値になる。さらに、図４（Ａ）の矢印で示される周期の電流波形を繰り返し与えると、上限値、下限値は各々Ｍ∞および−Ｍ∞に収束していく。
【００１７】
図５には、以上を裏付ける実験事実を示す。図５（Ａ）に示されるグラフは、マイナーループの磁化の上限値が図４（Ａ）の矢印で示される周期のパルス電流を印加する回数に対してどのように変化するかを計測した計測結果であり、図５（Ｂ）に示されるグラフは、マイナーループの磁化の下限値に対する同様の計測結果である。なお、図５（Ｂ）の縦軸は絶対値で示しているが、下限値の計測値である。両者とも、２０周期程度のパルス電流印加（すなわち、マイナーループを２０回程度回ることに相当）により、磁界レンズの磁化の値が０.５９５［Ｔ］程度に収束し、パルス電流の印加回数を３５周期まで増やしても磁化の上限値・下限値はこれ以上変化しないことが分かる。
【００１８】
図６には、最終的に形成される安定化ループの形状を示す。この安定化ループ６０１は、マイナーループではあるがメジャーループと同様な特性を持ち、上限値６０２でのＨ（Ｈupperと表示）に相当する電流よりも大きな電流ないし下限値６０３でのＨ（Ｈlowerと表示）に相当する電流よりも大きな負の電流が磁界レンズに印加されるとヒステリシスの効果が消去される特性を有する。すなわち、一度安定化ループが形成され、かつレンズの動作中にＨupperに相当する電流よりも大きな電流ないしＨlowerに相当する電流よりも大きな負の電流がコイルに印加されれば、Ｈupperに相当する電流値からＨlowerに相当する電流値の範囲である限り、どのような電流を印加しても系のヒステリシスループとしては安定化ループを辿ることになる。以降、安定化ループにおける上記の「上限」「下限」を総称して「分岐点」と呼ぶことにする。
【００１９】
次に、安定化ループを用いた実際の消磁方法について説明する。
【００２０】
図７には、本実施例の荷電粒子線装置の全体構成図を示す。図７に示す荷電粒子線装置は走査電子顕微鏡であり、試料室７０７と、当該試料室７０７上に配置された電子光学鏡筒７１６および図示しない画像表示装置などによって構成されている。電子光学鏡筒７１６の内部では、電子源７０１から引出電極７０２によって引き出され、図示しない加速電極によって加速された電子ビーム７０３は、集束レンズの一形態であるコンデンサレンズ７０４によって、絞られた後に、走査偏向器７０５により、試料７０９上を一次元的、或いは二次元的に走査される。コンデンサレンズ７０４としては磁界レンズを使用している。電子ビーム７０３は試料台７０８に内蔵された電極に印加された負電圧により減速されると共に、対物レンズ７０６のレンズ作用によって集束されて試料７０９上に照射される。電子ビーム７０３を試料７０９に照射したくない場合には、ブランキング偏向器７１５を用いて電子ビームの軌道を曲げて、電子ビームが試料に当たらないようにする。図示は省略しているが、実際には試料台７０８は試料ステージ上に保持されており、試料室内をＸＹ面内あるいはＸＹＺ方向に移動可能である。図７に示す荷電粒子線装置においては、磁界レンズとしては、コンデンサレンズ７０４および対物レンズ７０６に磁界レンズが使用されている。
【００２１】
電子ビーム７０３が一次電子線として試料７０９に照射されると、当該照射個所から二次電子、及び後方散乱電子のような電子７１０が放出される。放出された電子７１０は、試料に印加される負電圧に基づく加速作用によって、電子源方向に加速され、変換電極７１２に衝突し、二次電子７１１を生じさせる。変換電極７１２から放出された二次電子７１１は、検出器７１３によって捕捉され、捕捉された二次電子量によって、検出器７１３の出力Ｉが変化する。この出力Ｉに応じて制御コンピュータ７１８に備えられたモニタに表示される画素の輝度が変化する。例えば二次元像を形成する場合には、走査偏向器７０５への偏向信号と、検出器７１３の出力Ｉとの同期をとることで、走査領域の画像を形成する。
【００２２】
図７に例示する走査電子顕微鏡には、電子ビームの走査領域を移動する偏向器（図示せず）が備えられている。この偏向器は異なる位置に存在する同一形状のパターンの画像等を形成するために用いられる。この偏向器はイメージシフト偏向器とも呼ばれ、試料ステージによる試料移動等を行うことなく、電子顕微鏡の視野（ＦＯＶ：Field Of View）位置の移動を可能とする。イメージシフト偏向器と走査偏向器を共通の偏向器とし、イメージシフト用の信号と走査用の信号を重畳して、偏向器に供給するようにしても良い。図７の例では試料から放出された電子を変換電極にて一端変換して検出する例について説明しているが、このような構成に限られることはなく、例えば加速された電子の軌道上に、電子倍像管や検出器の検出面を配置するような構成とすることも可能である。
【００２３】
以上説明した電子光学鏡筒内部の各構成部品は、制御装置としての制御手段７１４によって動作が制御される。制御手段７１４はまた、制御コンピュータ７１８によって制御される。制御コンピュータ７１８は、撮像された画像や電子顕微鏡を操作する上でのＧＵＩ（Graphical User Interface）が表示されるモニタを備えており、ＧＵＩを介して入力される操作者の指示に対応する制御コマンドを発行して制御手段７１４に送信する。制御手段７１４は、受信した制御コマンドに対応して制御電源７１７を制御し、コンデンサレンズや対物レンズといった電子光学系の構成部品に供給する電圧や電流を制御する。本実施例においては、制御手段７１４は制御用のＦＰＧＡ（Field Programmable Gate Array）を実装した制御基板で構成した。汎用ＣＰＵや制御用マイコンなど、他の手段で制御手段７１４を構成できることは言うまでもない。さらにまた、制御手段７１４は、検出された電子に基づいて画像を形成する機能や、ラインプロファイルと呼ばれる検出電子の強度分布に基づいて、試料上に形成されたパターンのパターン幅を測定する機能を備えている。
【００２４】
図８には、本実施例の走査電子顕微鏡の動作フローを示す。
【００２５】
撮像を開始するに際して、ステップ８０１に示される電子光学系の調整処理を行う。この処理では、電子源７０１や走査偏向器７０５といった、電子光学系の構成要素の調整処理を行う。この際、コンデンサレンズ７０４あるいは対物レンズ７０６等の磁界レンズについては、図４（Ａ）に示すような波形の電流を数十サイクル程度印加し、安定化ループの形成処理（ヒステリシスの安定化処理）を行う。電子光学系の調整処理が終了すると、ステップ８０２で目標とする撮像位置に視野を移動し、それと並行して、磁界レンズの磁化が安定化ループ上でゼロになる点、すなわち磁界レンズが発生する磁界強度がゼロになるように励磁電流を調整する（ステップ８０３）。安定化ループの形成処理中には、ブランキング偏向器７１５が動作し、電子ビーム７０３の軌道を曲げて（偏向して）試料７０９を電子ビームの非照射状態にする。ブランキング偏向器７１５に替えて、シャッターなど機械的な電子ビーム遮蔽手段を設けてもよい。
【００２６】
ここで、図９を用いてステップ８０３の処理の詳細を説明する。
【００２７】
図９は、ステップ８０１の実行の結果形成された安定化ループを示す模式図である。安定化ループが形成されているため、ステップ８０１の終了時点で電子光学鏡筒内の磁界レンズ、例えばコンデンサレンズ７０４や対物レンズ７０６に印加されている励磁電流は、安定化ループ９０１上のどこかの位置である。無駄な消費電流を節約するため、通常は安定化ループ形成後の励磁電流は電流値ゼロの点９０２に設定される場合が多い。本実施例でも、コンデンサレンズあるいは対物レンズの励磁電流は、ステップ８０１の終了後、ゼロに設定されたものとする。ステップ８０３が実行されると、コンデンサレンズあるいは対物レンズの動作点は安定化ループ上の点９０３に移動する。この点が安定化ループ上におけるコンデンサレンズあるいは対物レンズの動作の基準点であり、本実施例では、磁界レンズの動作点は全て、点９０３を起点として分岐点９０６に至る磁化曲線９０４上に設定される。
【００２８】
点９０３が磁界レンズ動作の基準点となる物理的意味は、図９から容易に分かる。例えば、電流値ゼロの点９０２を基準点と設定することもできるが、その場合、磁界レンズの動作点は、電流値ゼロの点９０２と分岐点９０６を結ぶ磁化曲線上に存在することになるが、電流値ゼロの点９０２でも磁界レンズには残留磁化が残っているため、残留磁化よりも小さな磁界強度で磁界レンズを動作させることができなくなってしまう。すなわち、磁界レンズの動作範囲が実行的に狭くなってしまう。
【００２９】
また、点９０３よりも下側、例えば点９０７を基準点に設定すると、磁界レンズの動作点は点線で示す磁化曲線上に存在することになり、点９０７から磁化ゼロの点までの領域と磁化ゼロの点から分岐点９０６の領域とで異なる極性の磁界を発生できるようになるため、見掛け上は磁界レンズの動作範囲は広くなる。しかしながら、図１に示すように磁界レンズが回転対称に設計されている関係上、発生磁界の向きによる電子ビームに対するレンズ効果の違いはキャンセルされ、レンズとしては同じ動作をする領域がＭ軸の右側と左側に２つ形成される。２つの領域に差はないので、結局、磁界レンズの励磁電流範囲が広くなる分だけ無駄となる。
【００３０】
以上のように、点９０３を磁界レンズ動作の基準点として選択する物理的意味は、基準点としては点９０３が最も効率的ということである。
【００３１】
ステップ８０３の終了後は、フォーカス調整（ステップ８０４）を行い、更に実際の撮像を行う（ステップ８０５）。フォーカス調整は、対物レンズに印加する励磁電流を微調整することによって行い、磁化曲線９０４上で一方向に電流を調整（増大）させて行う。例えば、図９の点９０５で最良のフォーカス条件が得られ、この状態で得られる検出器７１３の出力Ｉをデジタル化して画像信号に変換し、モニタ上に表示させることにより撮像を行う。
【００３２】
なお、同じ撮像位置で繰り返し撮像を行う場合は、磁界レンズの励磁電流を調整して安定化ループを一周し、系に安定化ループを記憶させ直す。さもないと、点９０３とジャストフォーカス位置である点９０５が新たな分岐点となり、安定化ループが移動してしまうためである。
【００３３】
ステップ８０６は、次の撮像位置の有無を判定する判定ステップであり、Ｙｅｓの場合は、次の撮像位置（例えば第２の撮像位置）に電子顕微鏡の視野を移動する（ステップ８０８）。並行して、ステップ８０３と同様の磁界レンズの磁界強度の調整ステップを実行し、磁界レンズの磁化をゼロにする（ステップ８０９）。視野移動が完了したら、その位置でフォーカス調整（ステップ８１０）を行い、上と同じ要領で撮像を行う（ステップ８１１）。ステップ８０６での判定の結果、Ｎｏの場合は撮像を終了する。
【００３４】
図１０には、ステップ８０３ないし８０９で磁界レンズに印加される電流波形を示す。縦軸は電流値、横軸は時間である。電流ゼロの点をスタートして、磁化ゼロ（図中のＭ＝０、励磁電流値は−Ｉ1）に達した後、励磁電流を増大させて、ジャストフォーカス位置（図中のＭ＝Just Focus、励磁電流値はＩfocus）で励磁電流をホールドし、画像取得あるいは像観察を行う。撮像終了後は、励磁電流を分岐点での値Ｉ0まで増大させた後、図６の安定化ループ６０１軌道を一周させることで、安定化ループを安定させ、磁化ゼロに戻す。
【００３５】
図７で説明したＦＰＧＡを搭載した制御基板には、図１０に示した電流波形を印加する回路情報を格納する不揮発メモリーが搭載されており、これにより、コンデンサレンズ７０４あるいは対物レンズ７０６として例えば磁界型対物レンズに印加する励磁電流を制御する。
【００３６】
従来技術によれば、ステップ８０３あるいはステップ８０９で図３に示す交流消磁を行う必要がある。既に図３（Ａ）で説明したように、交流消磁方法では、交流電流を、振幅を変えながら数十〜数百サイクルも印加する必要があり、非常に時間を要する。磁界レンズの発生磁界強度にもよるが、現行の装置では、数秒程度の時間を要しており、ステージ移動やイメージシフト等による視野移動の時間内では消磁が完了せず、視野移動後、整定時間（待ち時間）を設ける必要があった。
【００３７】
一方、本実施例の磁化制御方法によれば、ステップ８０１で一度安定化ループを形成してしまえば、その後の消磁（ないしは消磁に相当する処理）は、適当なレンズ動作点（例えば、図１０のジャストフォーカス位置）から分岐点まで励磁電流を大きくして、しかる後に安定化ループの一周と磁化ゼロの点まで励磁電流値を下げるという１サイクルの電流波形印加ですむ。従って、従来消磁に要していた時間が、ミリ秒程度と非常に短縮化される。この効果は、ＣＤ−ＳＥＭ（測長ＳＥＭ）やＤＲ−ＳＥＭ（欠陥レビューＳＥＭ）といった、大量のＳＥＭ画像を高速に取得しなければならない荷電粒子線装置において特に有利である。また、装置の制御フロー上、整定時間を設ける必要がなくなるため、スループットが顕著に向上する。
【００３８】
さらにまた、１サイクルの電流波形印加ですむためコイルの発熱量が少なく、従って磁界レンズの冷却に要する電力が少なくて済む。このことと消磁に要する消費電力が低減されることとの相乗効果により、装置全体の消費電力が低減される。
【００３９】
なお、以上の説明では、磁界レンズの励磁電流波形は全てパルス波形であるものとして説明を行ったが、図１１や図１２に示す連続的な正弦波の電流波形あるいは三角波や矩形波状の波形であっても、本実施例の磁界レンズ制御を実行することができる。図４（Ａ）や図１０に示した繰り返し性を持つパルス電流波形と、図１１や図１２に示した正弦波の電流波形あるいは上述の三角波や矩形波状の電流波形をまとめて交流電流と呼んでも構わない。
【００４０】
（実施例２）
実施例１では、安定化ループ形成時に印加する交流電流波形は、振幅値が正側と負側で同一であったが、正負に非対称な電流波形を用いても、安定化ループを形成し、本発明の磁化制御を実行することができる。装置の全体構成や動作フローは、図７および図８と同様なので説明は省略する。
【００４１】
図１３（Ａ）には、本実施例の磁化制御で磁界レンズに印加される交流電流波形を、図１３（Ｂ）には、図１３（Ａ）の交流電流波形により形成される安定化ループの模式図を示す。図１３（Ａ）の交流電流波形は、図１２に示す交流電流波形に所定のＤＣオフセットを重畳させた形状を有するが、peak to peakの振幅は図４に示すパルス型の交流電流波形と同一であり、実施例１同様、単一振幅の交流波形である。
【００４２】
磁界レンズに消磁状態から図１３（Ａ）の交流電流波形を印加すると、初磁化曲線１３０１を通って分岐点に達し、最終的には１３０２の安定化ループが形成される。図１３（Ｂ）に示されるように、非対称な交流電流波形を用いて形成される安定化ループは、対称な安定化ループがＭ軸上をオフセット相当分だけ正側にずれた形状を有している。
【００４３】
安定化ループが一旦形成されれば、後は、実施例１と同じ要領で、磁化ゼロの点１４０１を基準とする磁化曲線１４０２上で磁界レンズを動作させる。例えば、点１４０３に相当する励磁電流を磁界レンズのコイルに供給して、磁界レンズを動作させる。レンズ磁界を点１４０３よりも弱い強度に調整する必要がある場合には、分岐点１４０４を通って点１４０１まで戻り、再度磁化曲線１４０２上でレンズ磁界強度を調節する。なお、上述のＤＣオフセットはシンメトリックな交流電流波形の正側に設けてもよい。すなわち、シンメトリックな交流電流波形をオフセット分だけ負側にずらしてもよい。
【００４４】
本実施例の非対称安定化ループによる磁化制御方式では、図９で示したシンメトリックループによる磁化制御方式と比較して、磁界レンズの動作範囲が同一であれば必要な励磁電流範囲が広くなっている。これは、励磁電流変化に対する磁界レンズの磁界変化が緩やかになっていることを意味し、従って、非対称ループの利用により，磁界レンズの動作制御の分解能を高くすることが可能である。
【００４５】
（実施例３）
本実施例では、対物レンズの動作点を磁化曲線上で複数設定した実施例について説明する。具体的には、オートフォーカス実行時に磁界型対物レンズへ印加する励磁電流波形の変形例について説明する。
【００４６】
図１５（Ａ）には、本実施例において安定化ループ形成後に対物レンズに印加する励磁電流波形を、図１５（Ｂ）には、本実施例の対物レンズの動作点と安定化ループの対応を示す模式図を示す。実施例２と同様、装置の全体構成や動作フローは、図７および図８と同様なので説明は省略する。
【００４７】
今、図８のステップ８０１の処理を行って、対物レンズに安定化ループが形成されたものとする。安定化ループは、実施例２と同様、非対称ループで、δ分のＤＣオフセットが重畳された交流電流を用いて安定化ループが形成されたものとする。初期状態では対物レンズの磁化状態は図１５（Ｂ）に示すＭ−Ｈ曲線上の点１５０１′にある。この状態で対物レンズに印加されている励磁電流値は、図１５（Ａ）に示す交流電流波形で点１５０１の値である。
【００４８】
この状態から徐々に励磁電流値を増大させると、対物レンズの磁化状態、すなわち対物レンズ内に形成される磁界の強度は、図１５（Ｂ）の磁化曲線１５０６に沿って増大していく。オートフォーカスを実行するためには、ジャストフォーカス状態を挟んで３枚の画像が必要であるので、励磁電流を点１５０２でホールドして撮像を行い、その後、視野を移動させずに励磁電流値を点１５０３まで増大させて撮像を行う。励磁電流を順次増大させて点１５０４で画像を取得した後、分岐点まで励磁電流を増大させ、更に安定化ループを一周させた後、磁化ゼロの状態である点１５０１まで励磁電流を落とす。
【００４９】
点１５０２〜１５０４の各点で撮像された画像は、制御コンピュータ７１８に取り込まれ、ジャストフォーカスに相当する励磁電流値が計算され、制御手段７１４に伝送される。制御手段７１４は、制御コンピュータから伝送された値に従って制御電源７１７を制御し、図１５（Ａ）の点１５０５に相当する励磁電流値を対物レンズに印加する。点１５０５で励磁電流をホールドし、検出器７１３の出力信号の取り込み、すなわち撮像を行う。点１５０５の励磁電流によって実現される対物レンズの磁界（磁化状態）は、図１５（Ｂ）の点１５０５′である。
【００５０】
撮像が終了すればステージ移動もしくはイメージシフトにより、次の撮像位置への視野移動を行う。以降、上と同じ要領で、磁化ゼロの点への励磁電流調整、励磁電流波形印加、オートフォーカス用の画像取り込みを順次行いオートフォーカスを実行し、更に撮像を実行する。以上説明した制御シーケンスは、制御手段７１４により実行される。
【符号の説明】
【００５１】
１０１  ヨーク
１０２  コイル
１０３  ポールピース
１０４  電流源
１０５  ポールギャップ
２０１，４０２，１３０１  初磁化曲線
２０２，９０４，１４０２，１５０６  磁化曲線
４０１  メジャーループ
４０３  マイナーループ
６０１，９０１，１３０２  安定化ループ
６０２  上限値
６０３  下限値
７０１  電子源
７０２  引出電極
７０３  電子ビーム
７０４  コンデンサレンズ
７０５  走査偏向器
７０６  対物レンズ
７０７  試料室
７０８  試料台
７０９  試料
７１０  電子
７１１  二次電子
７１２  変換電極
７１３  検出器
７１４  制御手段
７１５  ブランキング偏向器
７１６  電子光学鏡筒
７１７  制御電源
７１８  制御コンピュータ
９０２  電流値ゼロの点
９０３，９０５，９０７，１４０１，１４０３，１５０１，１５０１′，１５０２，１５０２′，１５０３，１５０３′，１５０４，１５０４′，１５０５，１５０５′  点
９０６，１４０４  分岐点
【図１】
2013065484.tif 000003
【図２（Ａ）】
2013065484.tif 000004
【図２（Ｂ）】
2013065484.tif 000005
【図３（Ａ）】
2013065484.tif 000006
【図３（Ｂ）】
2013065484.tif 000007
【図４（Ａ）】
2013065484.tif 000008
【図４（Ｂ）】
2013065484.tif 000009
【図５（Ａ）】
2013065484.tif 000010
【図５（Ｂ）】
2013065484.tif 000011
【図６】
2013065484.tif 000012
【図７】
2013065484.tif 000013
【図８】
2013065484.tif 000014
【図９】
2013065484.tif 000015
【図１０】
2013065484.tif 000016
【図１１】
2013065484.tif 000017
【図１２】
2013065484.tif 000018
【図１３（Ａ）】
2013065484.tif 000019
【図１３（Ｂ）】
2013065484.tif 000020
【図１４】
2013065484.tif 000021
【図１５（Ａ）】
2013065484.tif 000022
【図１５（Ｂ）】
2013065484.tif 000023